(57)【要約】  本発明は、電源タップの給電制御方法、装置及び電源タップに関する。当該方法は、電子機器の電力量状態あるいは稼働状態を取得するステップと、前記電子機器の電力量状態あるいは稼働状態に応じて、電源タップの前記電子機器に接続されたジャックの給電状態を制御するステップとを含む。本発明によれば、電源タップのジャックの給電状態を柔軟に制御可能であるため、電子機器に対する過剰充電が回避され、給電される必要のない電子機器に対する給電も回避され、節電になるとともに、電子機器を保護する役割も果たす。
2019501611.tif 000002
【特許請求の範囲】
【請求項１】
電子機器の電力量状態あるいは稼働状態を取得するステップと、
前記電子機器の電力量状態あるいは稼働状態に応じて、電源タップの前記電子機器に接続されたジャックの給電状態を制御するステップと、を含むことを特徴とする電源タップの給電制御方法。
【請求項２】
前記電子機器の電力量状態に応じて、電源タップの前記電子機器に接続されたジャックの給電状態を制御するステップは、
前記電子機器の余剰電力量が第１所定値に達したとき、前記電子機器に接続されたジャックが給電オフ状態になるように制御するステップ、及び/又は、
前記電子機器の余剰電力量が第２所定値よりも小さいとき、前記電子機器に接続されたジャックが給電オン状態になるように制御するステップを含むことを特徴とする請求項１に記載の電源タップの給電制御方法。
【請求項３】
前記電子機器の稼働状態に応じて、電源タップの前記電子機器に接続されたジャックの給電状態を制御するステップは、
前記電子機器が所定タスクの完了状態であるとき、前記電子機器に接続されたジャックが給電オフ状態になるように制御することを特徴とする請求項１に記載の電源タップの給電制御方法。
【請求項４】
電子機器の電力量状態あるいは稼働状態を取得するステップは、
前記電子機器と前記電源タップを接続する接続線を介して、前記電子機器から送信された、前記電子機器の電力量状態あるいは稼働状態を含む状態情報を取得するステップ、又は、
無線通信技術により、前記電子機器から送信された前記状態情報を受信するステップを含むことを特徴とする請求項１に記載の電源タップの給電制御方法。
【請求項５】
前記状態情報は、前記電子機器の機器識別子情報をさらに含むことを特徴とする請求項４に記載の電源タップの給電制御方法。
【請求項６】
前記電子機器の電力量状態あるいは稼働状態に応じて、電源タップの前記電子機器に接続されたジャックの給電状態を制御する前に、さらに、
前記電子機器が前記電源タップに接続されたと検出された場合、前記電源タップのジャックの金属片上に配置された感知器で検出された感知信号に基づいて、前記電子機器に接続されたジャックを特定するステップを含むことを特徴とする請求項１から５の何れか一項に記載の電源タップの給電制御方法。
【請求項７】
前記電子機器の電力量状態あるいは稼働状態に応じて、電源タップの前記電子機器に接続されたジャックの給電状態を制御する前に、さらに、
前記電子機器が前記電源タップに接続されたと検出された場合、前記電子機器に接続されたジャックと前記電子機器の機器識別子情報とを特定するステップと、
前記電子機器の機器識別子情報と前記電子機器に接続されたジャックとの間の対応関係を確立するステップと、
前記電子機器の電力量状態が所定電力量状態、あるいは前記電子機器の稼働状態が所定稼働状態であるとき、前記対応関係に基づいて前記電子機器に接続されたジャックを特定するステップと、を含むことを特徴とする請求項１に記載の電源タップの給電制御方法。
【請求項８】
前記電子機器の機器識別子情報を特定するステップは、
前記電子機器に対して給電された単位時間当たりの電流値を特定するステップと、
予め記憶された所定の単位時間当たりの電流値と所定機器識別子情報との間のマッピングリストに基づいて、前記単位時間当たりの電流値に対応する機器識別子情報を特定するステップと、
前記単位時間当たりの電流値に対応する機器識別子情報を前記電子機器の機器識別子情報として特定するステップと、を含むことを特徴とする請求項７に記載の電源タップの給電制御方法。
【請求項９】
電子機器の電力量状態あるいは稼働状態を取得するための状態取得モジュールと、
前記電子機器の電力量状態あるいは稼働状態に応じて、電源タップの前記電子機器に接続されたジャックの給電状態を制御するための給電状態制御モジュールと、を備えることを特徴とする電源タップの給電制御装置。
【請求項１０】
前記給電状態制御モジュールは、
前記電子機器の余剰電力量が第１所定値に達したとき、前記電子機器に接続されたジャックが給電オフ状態になるように制御するための第１給電状態制御サブモジュール、及び/又は、
前記電子機器の余剰電力量が第２所定値よりも小さいとき、前記電子機器に接続されたジャックが給電オン状態になるように制御するための第２給電状態制御サブモジュールを有することを特徴とする請求項９に記載の電源タップの給電制御装置。
【請求項１１】
前記給電状態制御モジュールは、
前記電子機器が所定タスクの完了状態であるとき、前記電子機器に接続されたジャックが給電オフ状態になるように制御するための第３給電状態制御サブモジュールを有することを特徴とする請求項９に記載の電源タップの給電制御装置。
【請求項１２】
前記状態取得モジュールは、
前記電子機器と前記電源タップを接続する接続線を介して、前記電子機器から送信された、前記電子機器の電力量状態あるいは稼働状態を含む状態情報を取得するための第１状態取得サブモジュール、又は、
無線通信技術により、前記電子機器から送信された前記状態情報を受信するための第２状態取得サブモジュールを有することを特徴とする請求項９に記載の電源タップの給電制御装置。
【請求項１３】
前記状態情報は、前記電子機器の機器識別子情報をさらに含むことを特徴とする請求項１２に記載の電源タップの給電制御装置。
【請求項１４】
前記電子機器が前記電源タップに接続されたと検出された場合、前記電源タップのジャックの金属片上に配置された感知器で検出された感知信号に基づいて、前記電子機器に接続されたジャックを特定するための第１ジャック特定モジュールをさらに備えることを特徴とする請求項９から１３の何れか一項に記載の電源タップの給電制御装置。
【請求項１５】
前記電源タップの給電制御装置は、第２ジャック特定モジュールをさらに備え、
前記第２ジャック特定モジュールは、
前記電子機器が前記電源タップに接続されたと検出された場合、前記電子機器に接続されたジャックを特定し、さらに前記電子機器の機器識別子情報を特定するための第１特定サブモジュールと、
前記電子機器の機器識別子情報と前記電子機器に接続されたジャックとの間の対応関係を確立するための対応関係確立サブモジュールと、
前記電子機器の電力量状態が所定電力量状態、あるいは前記電子機器の稼働状態が所定稼働状態であるとき、前記対応関係に基づいて前記電子機器に接続されたジャックを特定するためのジャック特定サブモジュールと、を有することを特徴とする請求項９に記載の電源タップの給電制御装置。
【請求項１６】
前記第１特定サブモジュールは、
前記電子機器に対して給電された単位時間当たりの電流値を特定するための単位時間当たり電流値特定サブモジュールと、
予め記憶された所定の単位時間当たりの電流値と所定機器識別子情報との間のマッピングリストに基づいて、前記単位時間当たりの電流値に対応する機器識別子情報を特定するための第１機器識別子情報特定サブモジュールと、
前記単位時間当たりの電流値に対応する機器識別子情報を前記電子機器の機器識別子情報として特定するための第２機器識別子情報特定サブモジュールと、を有することを特徴とする請求項１５に記載の電源タップの給電制御装置。
【請求項１７】
請求項９から１６の何れか一項に記載の電源タップの給電制御装置を含むことを特徴とする電源タップ。
【請求項１８】
プロセッサと、
プロセッサの実行可能な指令を記憶するためのメモリと、を備え、
前記プロセッサは、
電子機器の電力量状態あるいは稼働状態を取得し、
前記電子機器の電力量状態あるいは稼働状態に応じて、電源タップの前記電子機器に接続されたジャックの給電状態を制御するように構成されることを特徴とする電源タップの給電制御装置。
【発明の詳細な説明】
【技術分野】
【０００１】
本発明は、電子機器技術分野に関し、特に電源タップ（Ｐｏｗｅｒ Ｓｔｒｉｐ）の給電制御方法、装置及び電源タップに関する。
【背景技術】
【０００２】
電源タップは、テーブルタップや、電源ストリップ、パワーストリップ、プラグ座と別称し、一般的に電源コード及びプラグを有する移動可能な多穴コンセントを指す。
【０００３】
人々は、電源タップで電子機器を充電する際、電子機器の充電が完了した後、電子機器のプラグを抜くのをよく忘れるため、電子機器の過剰充電になりやすく、電力の無駄遣いを招来するとともに、電子機器にダメージを与える恐れもある。
【発明の概要】
【発明が解決しようとする課題】
【０００４】
本発明は、関連技術に存在する課題を解決すべく、電源タップの給電制御方法、装置及び電源タップを提供する。
【課題を解決するための手段】
【０００５】
本発明の実施例の第１態様によれば、電源タップの給電制御方法を提供する。当該方法は、電子機器の電力量状態あるいは稼働状態を取得するステップと、前記電子機器の電力量状態あるいは稼働状態に応じて、電源タップの前記電子機器に接続されたジャックの給電状態を制御するステップと、を含む。
【０００６】
上記方法について、ある可能な実現形態では、前記電子機器の電力量状態に応じて、電源タップの前記電子機器に接続されたジャックの給電状態を制御するステップは、前記電子機器の余剰電力量が第１所定値に達したとき、前記電子機器に接続されたジャックが給電オフ状態になるように制御するステップ、及び/又は、前記電子機器の余剰電力量が第２所定値よりも小さいとき、前記電子機器に接続されたジャックが給電オン状態になるように制御するステップを含む。
【０００７】
上記方法について、ある可能な実現形態では、前記電子機器の稼働状態に応じて、電源タップの前記電子機器に接続されたジャックの給電状態を制御するステップは、前記電子機器が所定タスクの完了状態であるとき、前記電子機器に接続されたジャックが給電オフ状態になるように制御するステップを含む。
【０００８】
上記方法について、ある可能な実現形態では、電子機器の電力量状態あるいは稼働状態を取得するステップは、前記電子機器と前記電源タップを接続する接続線を介して、前記電子機器から送信された、前記電子機器の電力量状態あるいは稼働状態を含む状態情報を取得するステップ、又は、無線通信技術により、前記電子機器から送信された前記状態情報を受信する。
【０００９】
上記方法について、ある可能な実現形態では、前記状態情報は、前記電子機器の機器識別子情報をさらに含む。
【００１０】
上記方法について、ある可能な実現形態では、前記電子機器の電力量状態あるいは稼働状態に応じて、電源タップの前記電子機器に接続されたジャックの給電状態を制御する前に、さらに、前記電子機器が前記電源タップに接続されたと検出された場合、前記電源タップのジャックの金属片上に配置された感知器で検出された感知信号に基づいて、前記電子機器に接続されたジャックを特定するステップを含む。
【００１１】
上記方法について、ある可能な実現形態では、前記電子機器の電力量状態あるいは稼働状態に応じて、電源タップの前記電子機器に接続されたジャックの給電状態を制御する前に、さらに、前記電子機器が前記電源タップに接続されたと検出された場合、前記電子機器に接続されたジャックと前記電子機器の機器識別子情報とを特定するステップと、前記電子機器の機器識別子情報と前記電子機器に接続されたジャックとの間の対応関係を確立するステップと、前記電子機器の電力量状態が所定電力量状態、あるいは前記電子機器の稼働状態が所定稼働状態であるとき、前記対応関係に基づいて前記電子機器に接続されたジャックを特定するステップとを含む。
【００１２】
上記方法について、ある可能な実現形態では、前記電子機器の機器識別子情報を特定するステップは、前記電子機器に対して給電された単位時間当たりの電流値を特定するステップと、予め記憶された所定の単位時間当たりの電流値と所定機器識別子情報との間のマッピングリストに基づいて、前記単位時間当たりの電流値に対応する機器識別子情報を特定するステップと、前記単位時間当たりの電流値に対応する機器識別子情報を前記電子機器の機器識別子情報として特定するステップとを含む。
【００１３】
本発明の実施例の第２態様によれば、電源タップの給電制御装置を提供する。当該装置は、電子機器の電力量状態あるいは稼働状態を取得するための状態取得モジュールと、前記電子機器の電力量状態あるいは稼働状態に応じて、電源タップの前記電子機器に接続されたジャックの給電状態を制御するための給電状態制御モジュールと、を備える。
【００１４】
上記装置について、ある可能な実現形態では、前記給電状態制御モジュールは、前記電子機器の余剰電力量が第１所定値に達したとき、前記電子機器に接続されたジャックが給電オフ状態になるように制御するための第１給電状態制御サブモジュール、及び/又は、前記電子機器の余剰電力量が第２所定値よりも小さいとき、前記電子機器に接続されたジャックが給電オン状態になるように制御するための第２給電状態制御サブモジュールを有する。
【００１５】
上記装置について、ある可能な実現形態では、前記給電状態制御モジュールは、前記電子機器が所定タスクの完了状態であるとき、前記電子機器に接続されたジャックが給電オフ状態になるように制御するための第３給電状態制御サブモジュールを有する。
【００１６】
上記装置について、ある可能な実現形態では、前記状態取得モジュールは、前記電子機器と前記電源タップを接続する接続線を介して、前記電子機器から送信された、前記電子機器の電力量状態あるいは稼働状態を含む状態情報を取得するための第１状態取得サブモジュール、又は、無線通信技術により、前記電子機器から送信された前記状態情報を受信するための第２状態取得サブモジュールを有する。
【００１７】
上記装置について、ある可能な実現形態では、前記状態情報は、前記電子機器の機器識別子情報をさらに含む。
【００１８】
上記装置について、ある可能な実現形態では、前記装置は、前記電子機器が前記電源タップに接続されたと検出された場合、前記電源タップのジャックの金属片上に配置された感知器で検出された感知信号に基づいて、前記電子機器に接続されたジャックを特定するための第１ジャック特定モジュールをさらに備える。
【００１９】
上記装置について、ある可能な実現形態では、前記装置は、第２ジャック特定モジュールをさらに備え、前記第２ジャック特定モジュールは、前記電子機器が前記電源タップに接続されたと検出された場合、前記電子機器に接続されたジャックを特定し、さらに前記電子機器の機器識別子情報を特定するための第１特定サブモジュールと、前記電子機器の機器識別子情報と前記電子機器に接続されたジャックとの間の対応関係を確立するための対応関係確立サブモジュールと、前記電子機器の電力量状態が所定電力量状態、あるいは前記電子機器の稼働状態が所定稼働状態であるとき、前記対応関係に基づいて前記電子機器に接続されたジャックを特定するためのジャック特定サブモジュールと、を有する。
【００２０】
上記装置について、ある可能な実現形態では、前記第１特定サブモジュールは、前記電子機器に対して給電された単位時間当たりの電流値を特定するための単位時間当たり電流値特定サブモジュールと、予め記憶された所定の単位時間当たりの電流値と所定機器識別子情報との間のマッピングリストに基づいて、前記単位時間当たりの電流値に対応する機器識別子情報を特定するための第１機器識別子情報特定サブモジュールと、前記単位時間当たりの電流値に対応する機器識別子情報を前記電子機器の機器識別子情報として特定するための第２機器識別子情報特定サブモジュールとを有する。
【００２１】
本発明の実施例の第３態様によれば、電源タップを提供する。当該電源タップは、電源タップの給電制御装置を備える。
【００２２】
本発明の実施例の第４態様によれば、電源タップの給電制御装置を提供する。当該装置は、プロセッサと、プロセッサの実行可能な指令を記憶するためのメモリとを備え、前記プロセッサは、電子機器の電力量状態あるいは稼働状態を取得し、前記電子機器の電力量状態あるいは稼働状態に応じて、電源タップの前記電子機器に接続されたジャックの給電状態を制御するように構成される。
【発明の効果】
【００２３】
本発明の実施例に供される技術案は、以下の格別な作用効果を奏することができる。電子機器の電力量状態あるいは稼働状態を取得し、電子機器の電力量状態あるいは稼働状態に応じて、電源タップの電子機器に接続されたジャックの給電状態を制御することにより、電源タップのジャックの給電状態を柔軟に制御可能であるため、電子機器に対する過剰充電が回避され、給電される必要のない電子機器に対する給電も回避され、節電になるとともに、電子機器を保護する役割も果たす。
【００２４】
以上の一般的な記述及び後述する詳細な説明は、例示的や解釈的なものであり、本発明を制限するためのものでないことは、理解されるべきである。
【図面の簡単な説明】
【００２５】
ここでの図面は、明細書を構成する一部として見なされ、本発明に適した実施例を示し、かつ、明細書の文字記載とともに本発明の仕組みを解釈するために用いられる。
【図１】一実施例による電源タップの給電制御方法を示すフローチャートである。
【図２】一実施例による電源タップを示す模式図である。
【図３】一実施例の一例による電源タップの給電制御方法の実施に関するフローチャートである。
【図４】一実施例の一例による電源タップの給電制御方法のステップＳ３１において当該電子機器の機器識別子情報を特定する手順を示すフローチャートである。
【図５】一実施例の別の例による電源タップの給電制御方法のステップＳ３１において当該電子機器の機器識別子情報を特定する手順を示すフローチャートである。
【図６】一実施例による電源タップの給電制御装置を示すブロック図である。
【図７Ａ】一実施例の一例による電源タップの給電制御装置を示すブロック図である。
【図７Ｂ】一実施例の図７Ａにおける状態取得モジュールを示すブロック図である。
【図８】一実施例による電源タップの給電制御のための装置８００を示すブロック図である。
【発明を実施するための形態】
【００２６】
次に、実施例を詳細に説明し、例示が図に示されている。以下の記述が図に係る場合、別途にて示さない限り、異なる図面における同じ符号は、同じ又は類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００２７】
図１は、一実施例による電源タップの給電制御方法を示すフローチャートである。当該方法は、電源タップに適用可能である。図１に示すように、当該方法は、以下のステップを含む。
【００２８】
ステップＳ１１では、電子機器の電力量状態あるいは稼働状態を取得する。
【００２９】
ステップＳ１２では、当該電子機器の電力量状態あるいは稼働状態に応じて、電源タップの当該電子機器に接続されたジャックの給電状態を制御する。
【００３０】
本実施例では、当該電子機器の電力量状態あるいは稼働状態に応じて、電源タップの当該電子機器に接続されたジャックの給電状態を制御することにより、電源タップのジャックの給電状態を柔軟に制御可能であるため、電子機器に対する過剰充電が回避され、給電される必要のない電子機器に対する給電も回避され、節電になるとともに、電子機器を保護する役割も果たす。
【００３１】
当該実施例では、電源タップを介して充電する電子機器について、電子機器の電力量状態は、当該電子機器の余剰電力量が所定条件を満たすか否か、例えば、電力量がフルパワーであるか否かや、電力量がある所定電力量閾値を上回るか否か等を含んでもよいが、それらに限定されない。本発明では、それについて具体的な限定をしない。電源タップを介して給電する電子機器について、電子機器の稼働状態は、当該電子機器がタスクを実行しているあるいは所定タスクを完了した状態、例えば、電子機器が充電タスクを実行済みか否か、電子機器が自身によって起動したタスク（例えば、ご飯を炊く）を実行済みか否か等を含んでもよいが、それらに限定されない。本発明では、それについて具体的な限定をしない。
【００３２】
ある可能な実現形態では、電子機器の電力量状態あるいは稼働状態を取得するステップは、当該電子機器と電源タップとの接続線を介して、当該電子機器から送信された、当該電子機器の電力量状態あるいは稼働状態を含む状態情報を取得するステップを含む。例えば、携帯電話は、データ線を介して電源タップと接続し、当該データ線を介して携帯電話の電力量状態あるいは稼働状態を取得してもよい。
【００３３】
当該実施例では、有線方式により、電源タップに接続された電子機器の電力量状態あるいは稼働状態を取得してもよい。ただし、電子機器は、自身が特定の電力量状態あるいは稼働状態にあると検出した場合、自ら状態情報を電源タップへ送信してもよい。又は、電源タップがリクエストメッセージを電子機器へ送信し、電子機器がリクエストメッセージを受信した後で状態情報を電源タップへ返信してもよく、当該リクエストメッセージは、電子機器がその電力量状態あるいは稼働状態を報知するよう要求するために用いられる。ただし、電源タップは、リクエストメッセージを周期的に電子機器へ送信してもよい。例えば、１分間毎に、１回のリクエストメッセージを電子機器へ送信する。
【００３４】
当該実施例では、電源タップを介して電子機器へ充電する従来のシステムに当該新たな機能を導入可能であり、電気信号の形式で電子機器と電源タップ間の通信を実現させるため、電子機器に接続されたジャックの給電状態をタイムリーで有効に制御することができる。
【００３５】
別の可能な実現形態では、電子機器の電力量状態あるいは稼働状態を取得するステップは、無線通信技術により、当該電子機器から送信された状態情報を受信するステップを含む。ただし、状態情報は、当該電子機器の電力量状態あるいは稼働状態を含む。ただし、無線通信技術は、Ｗｉ-Ｆｉ（Ｗｉｒｅｌｅｓｓ Ｆｉｄｅｌｉｔｙ、無線フィデリティ技術）、ブルートゥース（登録商標）技術又は移動通信ネットワーク等を含んでもよい。ここでは、それについて限定しない。
【００３６】
当該実施例では、無線方式により、電源タップに接続された電子機器の電力量状態あるいは稼働状態を取得してもよい。例えば、電源タップ及び電子機器にブルートゥース（登録商標）モジュールをそれぞれ設けて、電子機器と電源タップの間の通信リンクを確立してもよい。電子機器は、自身が特定の電力量状態あるいは稼働状態にあると検出したとき、自ら無線方式により状態情報を電源タップへ送信してもよい。又は、電源タップがリクエストメッセージを電子機器へ周期的に送信して電子機器の状態情報の取得を要求してもよい。
【００３７】
当該実施例では、無線方式により電子機器と電源タップの間の通信を実施可能であるため、電源タップは、電子機器の状態情報をタイムリーで正確に把握でき、さらに電子機器に接続されたジャックの給電状態を有効に制御することができる。
【００３８】
ある可能な実現形態では、上記状態情報は、当該電子機器の機器識別子情報をさらに含む。電子機器が無線通信技術又は有線方式により電源タップへ当該電子機器の状態情報を送信するとき、当該電子機器の機器識別子情報を付加してもよい。電源タップは、電子機器が電源タップに接続されたと検出した度に、当該電子機器の機器識別子情報と当該電子機器に接続されたジャックとの間の対応関係を記録する。これにより、電源タップから受信された電子機器の状態情報に当該電子機器の機器識別子情報が付加されているため、電源タップは、当該電子機器の機器識別子情報及び以前の記録に基づいて、当該電子機器を差し込まれたジャックを特定でき、さらに電子機器の状態に基づいてどのジャックに対して給電状態の制御を行うべきかを正確に特定できる。
【００３９】
本実施例では、電源タップは、携帯電話、移動電源あるいはタブレットＰＣ等の電子機器に対して充電するためのものであってもよいし、電気ケトルあるいは炊飯器等の電子機器に対して給電するためのものであってもよい。前記電子機器のあり得る種別及び機能等について、本発明は、具体的な限定をしない。
【００４０】
図２は、一実施例による電源タップを示す模式図である。図２に示すように、当該電源タップは、第１ジャック２１、第２ジャック２２、第３ジャック２３、第４ジャック２４、第５ジャック２５及び第６ジャック２６を有する。ただし、第１ジャック２１、第２ジャック２２及び第３ジャック２３は、五穴ジャックであり、第４ジャック２４、第５ジャック２５及び第６ジャック２６は、ＵＳＢ（Ｕｎｉｖｅｒｓａｌ Ｓｅｒｉａｌ Ｂｕｓ、ユニバーサル・シリアル・バス）ジャックである。例えば、第１ジャック２１は、電気ケトルに接続可能であり、第３ジャック２３は、炊飯器に接続可能であり、第４ジャック２４は、携帯電話に接続可能である。
【００４１】
説明すべきことは、電源タップは、二穴ジャック、三穴ジャック、五穴ジャック及びＵＳＢジャック等の各タイプのジャックのうちの１つ又は複数を含んでもよい。本実施例では、電源タップが含むジャックのタイプについて限定せず、各タイプのジャックの数についても限定しない。
【００４２】
また、当業者は、ニーズに応じて電子機器の各電力量状態あるいは稼働状態とジャックの給電状態との間の対応関係を設定してもよいが、本発明では、それについて具体的な限定をしない。
【００４３】
ある可能な実現形態では、当該電子機器の電力量状態に応じて、電源タップの当該電子機器に接続されたジャックの給電状態を制御するステップは、当該電子機器の余剰電力量が第１所定値に達したとき、当該電子機器に接続されたジャックが給電オフ状態になるように制御する。ただし、余剰電力量（Ｓｔａｔｅ Ｏｆ Ｃｈａｒｇｅ、ＳＯＣ）とは、バッテリの定格容量に対する現在利用可能な電力量の比率を指す。例えば、第１所定値が１００％であってもよいが、ここで限定しない。当該実現形態において、当該電子機器の余剰電力量が第１所定値に達したとき、当該電子機器は、当該電子機器の余剰電力量が第１所定値に達した旨の状態情報を電源タップへ送信してもよい。電源タップは、当該電子機器の余剰電力量が第１所定値に達した旨の状態情報を受信すると、当該電子機器に接続されたジャックが給電オフ状態になるように制御してもよい。これにより、電子機器に対する過剰充電が回避されることができ、節電になるとともに、電子機器を保護する役割も果たす。
【００４４】
ある可能な実現形態では、当該電子機器の電力量状態に応じて、電源タップの当該電子機器に接続されたジャックの給電状態を制御するステップは、当該電子機器の余剰電力量が第２所定値よりも小さいとき、当該電子機器に接続されたジャックが給電オン状態になるように制御する。例えば、第２所定値が２０%であってもよいが、ここで限定しない。当該実現形態では、当該電子機器の余剰電力量が第２所定値よりも小さいとき、当該電子機器は、当該電子機器の余剰電力量が第２所定値よりも小さい旨の状態情報を電源タップへ送信してもよい。電源タップは、当該電子機器の余剰電力量が第２所定値よりも小さい旨の状態情報を受信すると、当該電子機器に接続されたジャックが給電オン状態になるように制御してもよい。これにより、電子機器の余剰電力量が低いときに電子機器を自動的に充電でき、電子機器を充電状態にさせるため、ユーザ体験が向上する。
【００４５】
ある可能な実現形態では、当該電子機器の稼働状態に応じて、電源タップの当該電子機器に接続されたジャックの給電状態を制御するステップは、当該電子機器が所定タスクの完了状態であるとき、当該電子機器に接続されたジャックが給電オフ状態になるように制御するステップを含んでもよい。例えば、炊飯器は、ご飯を炊き上げた後、ご飯炊きタスクを完了した旨の情報を電源タップへ送信してもよい。電源タップは、炊飯器がご飯炊きタスクを完了した旨の情報を受信した後、炊飯器が所定タスクの完了状態にあると判定し、さらに炊飯器に対応するジャックが給電オフ状態になるように制御して炊飯器に対する給電を終了させてもよい。これにより、節電になるとともに、炊飯器を保護する役割も果たす。さらに例えば、電気ケトルは、湯沸しタスクを完了した後、湯沸しタスクを完了した旨の情報を電源タップへ送信してもよい。電源タップは、電気ケトルが湯沸しタスクを完了した旨の情報を受信した後、電気ケトルが所定タスクの完了状態にあると判定し、さらに電気ケトルに対応するジャックが給電オフ状態になるように制御して電気ケトルに対する給電を終了させてもよい。これにより、節電になるとともに、電気ケトルを保護する役割も果たす。
【００４６】
また、本発明で言う所定タスクを完了したことは、ユーザにより予め指定された所定タスク量に達したことを指してもよい。例えば、ユーザが予め室内空気加湿器の加湿時間を１時間に設定する。１時間になると、加湿器は、加湿完了を表すメッセージを電源タップへ送信してもよい。電源タップは、当該メッセージを受信した後、空気加湿器に接続された電源タップのジャックから当該加湿器への給電を制御する。
【００４７】
ある可能な実現形態では、当該電子機器の電力量状態あるいは稼働状態に応じて、電源タップの当該電子機器に接続されたジャックの給電状態を制御する前に、さらに、当該電子機器が電源タップに接続されたと検出された場合、電源タップのジャックの金属片上に配置された感知器で検出された感知信号に基づいて、当該電子機器に接続されたジャックを特定するステップを含む。当該実現形態では、電源タップの各ジャックの金属片上に感知器を配置し、ジャックに差し込まれた電子機器があるか否かを感知器により検出してもよい。当該実施例によれば、ジャックへのプラグの差し込みをより正確に検出することができる。
【００４８】
ある可能な実現形態では、何れかのジャックに電子機器が差し込まれていない場合、当該ジャックが給電オフ状態になるように制御可能であるため、電源タップの安全性が向上する。
【００４９】
ある可能な実現形態では、当該電子機器の電力量状態あるいは稼働状態に応じて、電源タップの当該電子機器に接続されたジャックの給電状態を制御する前に、さらに、当該電子機器が電源タップに接続されたと検出された場合、当該電子機器に接続されたジャックと、当該電子機器の機器識別子情報とを特定するステップと、当該電子機器の機器識別子情報と当該電子機器に接続されたジャックとの間の対応関係を確立するステップと、当該電子機器の電力量状態が所定電力量状態、あるいは当該電子機器の稼働状態が所定稼働状態である場合、対応関係に基づいて当該電子機器に接続されたジャックを特定するステップとを含む。
【００５０】
当該実施例では、所定電力量状態は、上述した余剰電力量の状態であってもよく、所定稼働状態は、上述した作業タスクを完了した状態等であってもよい。当該実施例では、電源タップに電子機器が差し込まれることが検出される度に、差し込まれた電子機器の識別子情報と、接続されたジャックとの対応関係を確立する。ただし、電源タップのジャックごとに識別子情報を設定して、電子機器の識別子情報とジャックの識別子情報との間の対応関係を確立してもよい。当該実施例によれば、特定の電子機器の給電に対して制御する必要が生じる後述の場合、当該電子機器に対応するジャックを迅速で正確に見つけることができる。
【００５１】
図３は、一実施例の一例による電源タップの給電制御方法の実施に関するフローチャートである。図３に示すように、当該方法は、ステップＳ３１〜３５を含む。
【００５２】
ステップＳ３１では、当該電子機器が電源タップに接続されたと検出された場合、当該電子機器に接続されたジャックと、当該電子機器の機器識別子情報とを特定する。
【００５３】
例えば、電源タップの各ジャックの金属片上に感知器を設けて、ジャックに差し込まれた電子機器があるか否かや、どのジャックに電子機器が差し込まれたかを感知器により検出してもよい。電子機器が差し込まれたとある感知器が検出した場合、当該感知器に対応するジャックを当該電子機器に接続されたジャックとして特定してもよい。
【００５４】
ある可能な実現形態では、当該電子機器と電源タップとの接続線を介して当該電子機器の機器識別子情報を取得し、取得された機器識別子情報を当該電子機器の機器識別子情報として特定してもよい。
【００５５】
ステップＳ３２では、当該電子機器の機器識別子情報と当該電子機器に接続されたジャックとの間の対応関係を確立する。
【００５６】
例えば、上記電子機器の機器識別子情報と当該電子機器に接続されたジャックとの間の対応関係を記録するためのマッピングリストを確立してもよい。
【００５７】
ステップＳ３３では、電子機器の電力量状態あるいは稼働状態を取得する。
【００５８】
ステップＳ３３は、ステップＳ１１に対する記述を参照すればよい。
【００５９】
ステップＳ３４では、当該電子機器の電力量状態が所定電力量状態、あるいは当該電子機器の稼働状態が所定稼働状態である場合、対応関係に基づいて当該電子機器に接続されたジャックを特定する。
【００６０】
ただし、電子機器の電力量状態が所定電力量状態であることは、電子機器の余剰電力量が第１所定値に達すること、及び/又は、電子機器の余剰電力量が第２所定値よりも小さくなることを含んでもよい。電子機器の稼働状態が所定稼働状態であることは、電子機器が所定タスクを完了した状態にあることを含んでもよい。
【００６１】
ステップＳ３５では、当該電子機器の電力量状態あるいは稼働状態に応じて、電源タップの当該電子機器に接続されたジャックの給電状態を制御する。
【００６２】
ステップＳ３５は、ステップＳ１２に対する記述を参照すればよい。
【００６３】
この例では、電子機器の機器識別子情報と当該電子機器に接続されたジャックとの間の対応関係を確立することにより、無線通信技術等の方式により電子機器の状態情報を受信した場合に、電子機器の状態情報に付加された当該電子機器の機器識別子情報に基づいて、当該電子機器に接続されたジャックを特定でき、さらに、電子機器の状態に基づいて、どのジャックに対して給電状態の制御を行う必要があるかを正確に特定できる。当該実施例によれば、電源タップのジャックの給電状態を柔軟に制御可能であるため、電子機器に対する過剰充電が回避され、給電される必要のない電子機器に対する給電も回避され、節電になるとともに、電子機器を保護する役割も果たす。
【００６４】
図４は、一実施例の一例による電源タップの給電制御方法のステップＳ３１において当該電子機器の機器識別子情報を特定する手順を示すフローチャートである。図４に示すように、当該電子機器の機器識別子情報を特定する手順は、以下のステップを含む。
【００６５】
ステップＳ４１では、当該電子機器に給電された単位時間当たりの電流値を特定する。
【００６６】
この例では、電子機器により、それに接続された充電線あるいはデータ線の単位時間当たりの電流値を検出し、当該単位時間当たりの電流値を電源タップへ送信してもよい。
【００６７】
ステップＳ４２では、予め記憶された所定の単位時間当たりの電流値と所定機器識別子情報との間のマッピングリストに基づいて、単位時間当たりの電流値に対応する機器識別子情報を特定する。
【００６８】
この例では、あるマッピングリストが予め記憶され、当該マッピングリストは、単位時間当たりの電流値と所定機器識別子情報との間の所定の対応関係を記録する。当該電子機器に給電された単位時間当たりの電流値を特定した後、予め記憶されたマッピングリストに基づいて対応する機器識別子情報を特定してもよい。
【００６９】
ステップＳ４３では、当該単位時間当たりの電流値に対応する機器識別子情報を当該電子機器の機器識別子情報として特定する。
【００７０】
当該実施例では、異なる電子機器に必要な動作電流が異なることを十分に考慮する。よって、それをもとに異なる電子機器を区分してもよい。例えば、ある炊飯器の動作電流が約３.２Ａであり、ある洗濯機の動作電流が１.５Ａである。ただし、異なる種別の複数の電子機器のそれぞれの動作電流と当該電子機器の識別子との対応関係を予め記憶してもよい。さらに、ある電子機器の動作電流が特定された後、対応関係に基づいて当該電子機器を特定することができる。又は、ネットワーク通信が可能な場合に、検出された電流値に基づいて、ネットワークを介して当該対応関係を検索し、さらに、当該電流値の大きさに対応する電子機器を特定してもよい。
【００７１】
この例では、当該電子機器に給電された単位時間当たりの電流値を特定し、予め記憶されたマッピングリストに基づいて単位時間当たりの電流値に対応する機器識別子情報を特定し、さらに単位時間当たりの電流値に対応する機器識別子情報を当該電子機器の機器識別子情報として特定することにより、特定された当該電子機器の機器識別子情報に基づいて、当該電子機器の機器識別子情報と当該電子機器に接続されたジャックとの間の対応関係を確立することができる。
【００７２】
図５は、一実施例の別の例による電源タップの給電制御方法のステップＳ３１において当該電子機器の機器識別子情報を特定する手順を示すフローチャートである。図５に示すように、当該電子機器の機器識別子情報を特定するステップは、ステップＳ５１と、ステップＳ５２とを含む。
【００７３】
ステップＳ５１では、無線通信技術により、当該電子機器から送信された機器識別子情報を取得する。
【００７４】
この例では、電子機器が電源タップに差し込まれたとき、電子機器が無線通信技術により、当該電子機器の機器識別子情報を電源タップへ送信可能であるため、電源タップが当該電子機器の機器識別子情報を受信することができる。
【００７５】
ステップＳ５２では、取得された機器識別子情報を当該電子機器の機器識別子情報として特定する。
【００７６】
この例では、無線通信技術により、当該電子機器の機器識別子情報を取得し、取得された機器識別子情報を当該電子機器の機器識別子情報として特定するため、それらをもとに、当該電子機器の機器識別子情報と当該電子機器に接続されたジャックとの間の対応関係が確立可能である。
【００７７】
ある可能な実現形態では、電子機器と電源タップとが接続状態から非接続状態に切り替えられたとき、例えば、電子機器が電源タップから抜かれたとき、当該電子機器とジャックとの対応関係を削除してもよい。
【００７８】
以下で、本発明の実施例によれば、上記電源タップの給電制御方法を実施するための電源タップの給電制御装置を提供する。
【００７９】
図６は、一実施例による電源タップの給電制御装置を示すブロック図である。図６を参照すると、当該装置は、状態取得モジュール６１と、給電状態制御モジュール６２とを有する。当該状態取得モジュール６１は、電子機器の電力量状態あるいは稼働状態を取得するように構成される。当該給電状態制御モジュール６２は、当該電子機器の電力量状態あるいは稼働状態に応じて、電源タップの当該電子機器に接続されたジャックの給電状態を制御するように構成される。
【００８０】
図７Ａは、一実施例の一例による電源タップの給電制御装置を示すブロック図である。図７Ａを参照すると、ある可能な実現形態では、給電状態制御モジュール６２は、第１給電状態制御サブモジュール６２１を有する。当該第１給電状態制御サブモジュール６２１は、当該電子機器の余剰電力量が第１所定値に達したとき、当該電子機器に接続されたジャックが給電オフ状態になるように制御するように構成される。
【００８１】
ある可能な実現形態では、給電状態制御モジュール６２は、第２給電状態制御サブモジュール６２２を有する。当該第２給電状態制御サブモジュール６２２は、当該電子機器の余剰電力量が第２所定値よりも小さいとき、当該電子機器に接続されたジャックが給電オン状態になるように制御するように構成される。
【００８２】
ある可能な実現形態では、給電状態制御モジュール６２は、第３給電状態制御サブモジュール６２３を有する。当該第３給電状態制御サブモジュール６２３は、当該電子機器が所定タスクの完了状態であるとき、当該電子機器に接続されたジャックが給電オフ状態になるように制御するように構成される。
【００８３】
図７Ｂを参照すると、ある可能な実現形態では、状態取得モジュール６１は、第１状態取得サブモジュール６１１を有する。当該第１状態取得サブモジュール６１１は、当該電子機器と電源タップとの接続線を介して、当該電子機器から送信された、当該電子機器の電力量状態あるいは稼働状態を含む状態情報を取得するように構成される。
【００８４】
ある可能な実現形態では、状態取得モジュール６１は、第２状態取得サブモジュール６１２を有する。当該第２状態取得サブモジュール６１２は、無線通信技術により、当該電子機器から送信された状態情報を受信するように構成される。
【００８５】
ある可能な実現形態では、状態情報は、当該電子機器の機器識別子情報をさらに含む。
【００８６】
再度図７Ａを参照すると、ある可能な実現形態では、当該装置は、第１ジャック特定モジュール６３をさらに備える。当該第１ジャック特定モジュール６３は、当該電子機器が電源タップに接続されたと検出された場合、電源タップのジャックの金属片上に配置された感知器で検出された感知信号に基づいて、当該電子機器に接続されたジャックを特定するように構成される。
【００８７】
ある可能な実現形態では、当該装置は、第２ジャック特定モジュール６４をさらに備え、第２ジャック特定モジュール６４は、第１特定サブモジュール６４１と、対応関係確立サブモジュール６４２と、ジャック特定サブモジュール６４３とを有する。当該第１特定サブモジュール６４１は、当該電子機器が電源タップに接続されたと検出された場合、当該電子機器に接続されたジャックを特定し、さらに当該電子機器の機器識別子情報を特定するように構成される。当該対応関係確立サブモジュール６４２は、当該電子機器の機器識別子情報と当該電子機器に接続されたジャックとの間の対応関係を確立するように構成される。当該ジャック特定サブモジュール６４３は、当該電子機器の電力量状態が所定電力量状態、あるいは当該電子機器の稼働状態が所定稼働状態であるとき、対応関係に基づいて当該電子機器に接続されたジャックを特定するように構成される。
【００８８】
ある可能な実現形態では、第１特定サブモジュール６４１は、単位時間当たり電流値特定サブモジュールと、第１機器識別子情報特定サブモジュールと、第２機器識別子情報特定サブモジュールとを有する。当該単位時間当たり電流値特定サブモジュールは、当該電子機器に給電された単位時間当たりの電流値を特定するように構成される。当該第１機器識別子情報特定サブモジュールは、予め記憶された所定の単位時間当たりの電流値と所定機器識別子情報との間のマッピングリストに基づいて、単位時間当たりの電流値に対応する機器識別子情報を特定するように構成される。当該第２機器識別子情報特定サブモジュールは、単位時間当たりの電流値に対応する機器識別子情報を当該電子機器の機器識別子情報として特定するように構成される。
【００８９】
ある可能な実現形態では、第１特定サブモジュール６４１は、機器識別子情報取得サブモジュールと、第３機器識別子情報特定サブモジュールとを有する。当該機器識別子情報取得サブモジュールは、無線通信技術により、当該電子機器の機器識別子情報を取得するように構成される。当該第３機器識別子情報特定サブモジュールは、取得された機器識別子情報を当該電子機器の機器識別子情報として特定するように構成される。
【００９０】
上記実施例における装置について、その中の各モジュールが操作を実行する具体的な形態が既に当該方法に関する実施例に詳細に記述されたため、ここで繰り返し説明しない。
【００９１】
本実施例によれば、電源タップのジャックの給電状態を柔軟に制御可能であるため、電子機器に対する過剰充電が回避され、給電される必要のない電子機器に対する給電も回避され、節電になるとともに、電子機器を保護する役割も果たす。
【００９２】
本発明の実施例によれば、上記何れか一項の給電制御装置を備える電源タップをさらに提供する。
【００９３】
本発明の実施例によれば、電源タップの給電制御装置を提供する。当該装置は、プロセッサと、プロセッサの実行可能な指令を記憶するためのメモリとを備え、前記プロセッサは、電子機器の電力量状態あるいは稼働状態を取得し、前記電子機器の電力量状態あるいは稼働状態に応じて、電源タップの前記電子機器に接続されたジャックの給電状態を制御するように構成される。
【００９４】
図８は、一実施例による電源タップの給電制御のための装置８００を示すブロック図である。例えば、装置８００は、電源タップ、携帯電話、コンピュータ、デジタル放送端末、メッセージ送受信機器、ゲームコンソール、タブレットデバイス、医療設備、フィットネス機器、ＰＤＡなどであってもよい。
【００９５】
図８を参照すると、装置８００は、処理ユニット８０２、メモリ８０４、電源ユニット８０６、マルチメディアユニット８０８、オーディオユニット８１０、入力／出力（Ｉ／Ｏ）インターフェース８１２、センサユニット８１４、及び、通信ユニット８１６のうちの１つ又は複数を含んでもよい。
【００９６】
処理ユニット８０２は、通常は、表示、電話発呼、データ通信、カメラ操作及び記録操作に関連する操作のような、装置８００の全般操作を制御する。処理ユニット８０２は、上記方法の全部又は一部のステップを実施させるように、指令を実行するための１つ又は複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【００９７】
メモリ８０４は、各タイプのデータを記憶して装置８００での操作をサポートするように構成される。これらのデータの例示は、装置８００で操作するための任意のアプリケーションもしくは方法の指令、連絡先データ、電話帳データ、メッセージ、ピクチャ、ビデオなどを含む。メモリ８０４は、如何なる種別の揮発性もしくは不揮発性記憶装置又はそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクであってもよい。
【００９８】
電源ユニット８０６は、装置８００のユニットのそれぞれに電力を供給する。電源ユニット８０６は、電源管理システム、１つ又は複数の電源、並びに、装置８００用の電力を生成、管理及び配分することに関する他のユニットを含んでもよい。
【００９９】
マルチメディアユニット８０８は、前記装置８００とユーザとの間に1つの出力インターフェースを供給するスクリーンを含む。一部の実施例では、スクリーンは、液晶ディスプレイ（ＬＣＤ）及びタッチパネル（ＴＰ）を含んでもよい。スクリーンは、タッチパネルを含む場合、ユーザからの入力信号を受信するように、ディスプレイスクリーンとして実現されてもよい。タッチパネルは、タッチ、スライド及びタッチパネルでのジェスチャを感知するように、１つ又は複数のタッチセンサを含む。前記タッチセンサは、タッチあるいはスライド動作の境界を感知するだけではなく、タッチあるいはスライド操作と関連する継続時間及び圧力をさらに検出することができる。一部の実施例では、マルチメディアユニット８０８は、１つのフロントカメラ及び/又はバックカメラを含む。装置８００が操作モード、例えば、撮影モードあるいはビデオモードであるとき、フロントカメラ及び/又はバックカメラは、外部のマルチメディアデータを受信することができる。フロントカメラ及びバックカメラのそれぞれは、１つの固定の光学レンズシステムであってもよいし、焦点距離及び光学ズーム能力を有するものであってもよい。
【０１００】
オーディオユニット８１０は、オーディオ信号を出力及び/又は入力するように構成される。例えば、オーディオユニット８１０は、マイク（ＭＩＣ）を備え、装置８００が操作モード、例えば、発呼モード、記録モード及び音声識別モードであるとき、マイクは、外部オーディオ信号を受信するように構成される。受信されたオーディオ信号は、さらに、メモリ８０４に格納される、又は、通信ユニット８１６を介して送信されることができる。一部の実施例では、オーディオユニット８１０は、オーディオ信号を出力するためのスピーカをさらに備える。
【０１０１】
Ｉ/Ｏインターフェース８１２は、処理ユニット８０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタン及びロックボタンが含まれてもよいが、それらに限定されない。
【０１０２】
センサユニット８１４は、様々な側面での状態推定を装置８００に供給するための１つ又は複数のセンサを含む。例えば、センサユニット８１４は、装置８００のオン/オフ状態、ユニットの相対位置を検出することができ、ユニットは、例えば、装置８００のディスプレイ及びキーパッドである。センサユニット８１４は、さらに、装置８００もしくは装置８００の１つのユニットの位置変更、ユーザと装置８００との接触の存在もしくは非存在、装置８００の方位もしくは加速/減速及び装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳ又はＣＣＤ画像センサを含んでもよい。一部の実施例では、当該センサユニット８１４は、さらに、加速度センサ、ジャイロセンサ、磁気センサ、圧力センサ又は温度センサを含んでもよい。
【０１０３】
通信ユニット８１６は、装置８００と他の機器間の無線又は有線方式の通信ができるように構成される。装置８００は、通信規格に基づく無線ネットワーク、例えば、ＷｉＦｉ、２Ｇもしくは３Ｇなどの通信規格、又はそれらの組合せに基づく無線ネットワークにアクセスすることができる。ある実施例では、通信ユニット８１６は、外部ブロードキャスト管理システムからのブロードキャスト信号又はブロードキャスト関連情報をブロードキャストチャネルを介して受信する。ある実施例では、通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術によって実現されてもよい。
【０１０４】
実施例では、装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品によって実現されてもよい。
【０１０５】
実施例では、指令を含む非一時的コンピュータ読み取り可能な記憶媒体、例えば、指令を含むメモリ８０４をさらに提供し、上記指令が装置８００のプロセッサ８２０によって実行されることで上記方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスク及び光データ記憶機器などであってもよい。
【０１０６】
非一時的コンピュータ読み取り可能な記憶媒体であって、前記記憶媒体における指令が装置のプロセッサによって実行されるとき、装置が上記電源タップの給電制御方法を実施可能である。前記方法は、電子機器の電力量状態あるいは稼働状態を取得するステップと、前記電子機器の電力量状態あるいは稼働状態に応じて、電源タップの前記電子機器に接続されたジャックの給電状態を制御するステップとを含む。
【０１０７】
当業者は、明細書を考慮し、ここに公開された発明を実践した後、本発明の他の実施案を容易に想到する。本願は、本発明の如何なる変形、用途又は適合もカバーすることを意図する。これらの変形、用途又は適合は、本発明の一般的な仕組みに従い、かつ、本発明に公開されていない当分野における公知常識又は慣用技術手段を含む。明細書及び実施例は単なる例示と見なされ、本発明の本当の範囲及び思想は添付する特許請求の範囲によって与えられる。
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１０８】
本願は、出願番号が２０１６１１０５７４０１.６であり、出願日が２０１６年１１月２６日である中国特許出願に基づいて優先権を主張する。当該中国特許出願の全ての内容は、ここに参考として引用される。
【図１】
2019501611.tif 000003
【図２】
2019501611.tif 000004
【図３】
2019501611.tif 000005
【図４】
2019501611.tif 000006
【図５】
2019501611.tif 000007
【図６】
2019501611.tif 000008
【図７Ａ】
2019501611.tif 000009
【図７Ｂ】
2019501611.tif 000010
【図８】
2019501611.tif 000011
【国際調査報告】
2019501611.tif 000012
2019501611.tif 000013
2019501611.tif 000014
2019501611.tif 000015